(57)【要約】【課題】  遮光性、易開封性、易取り出し性を備え、コストが安くて、自動組立が容易な感光記録材料用包装箱を提供すること。【解決手段】  展開図６５において、両側に山折れ線を介して接続される第１フラップ対３１、３３を有する第１板４５と、第２板３５と、両側に山折れ線を介して接続される第２フラップ対４１、４３を有する第３板５１と、第４板５３と、両側に山折れ線を介して接続される第３フラップ対５５、５７を有する第５板４９とが、互いに平行で且つほぼ同一の長さを有する山折れ線を介して一連に接続されている。感光記録材料用包装箱１が、山折れ線に沿って９０度ずつ山折りして、第１板と第５板の端部同士を重ねた状態で固定し、第１フラップ対、第２フラップ対及び第３フラップ対を山折れ線に沿って９０度ずつ山折りし、第１フラップ対及び第３フラップ対を第２フラップ対と重ねた状態で固定してなる。【選択図】  図２
2005096854.tif 000002
【特許請求の範囲】
【請求項１】
展開図において、両側に山折れ線を介して接続される第１フラップ対を有する第１板と、第２板と、両側に山折れ線を介して接続される第２フラップ対を有する第３板と、第４板と、両側に山折れ線を介して接続される第３フラップ対を有する第５板とが、互いに平行で且つほぼ同一の長さを有する山折れ線を介してこの順で一連に接続されており、
前記第２板、第３板、第４板及び第５板を前記第１〜５板を区切る山折れ線に沿って９０度ずつ山折りし、前記第１フラップ対、第２フラップ対及び第３フラップ対を山折れ線に沿って９０度ずつ山折りし、前記第１板と第５板の端部同士を重ねた状態で固定し、第１フラップ対及び第３フラップ対を第２フラップ対とそれぞれ重ねた状態で固定してなり、
前記第１板、第２板及び第１フラップ対が、前記第１板及び第２板間の山折れ線及び前記第２板及び第３板間の山折れ線を回動辺として回動することで開閉可能な蓋部が構成され、
前記第３板、第４板、第５板、第２フラップ対及び第３フラップ対により本体部が構成されることを特徴とする感光記録材料用包装箱。
【請求項２】
請求項１において、前記第１板と第５板の端部同士が重なった部分は接着により固定され、前記第１板と第５板のいずれか上側に重なっている方の前記接着により固定された部分より前記端部から離れた位置には、前記上側に重なっている板の全幅に亘って切り取り可能な破断切取部が形成されていることを特徴とする感光記録材料用包装箱。
【請求項３】
請求項１または２において、前記第１フラップ対と第３フラップ対は、それぞれ第２フラップ対の内側と外側に重なる状態で固定されていることを特徴とする感光記録材料用包装箱。
【請求項４】
請求項１または２において、前記第１フラップ対と第３フラップ対は、それぞれ第２フラップ対の外側と内側に重なる状態で固定されていることを特徴とする感光記録材料用包装箱。
【請求項５】
請求項３において、前記第１フラップ対の２つの山折れ線は、前記第２フラップ対の２つの山折れ線と平行で且つ第２フラップ対の２つの山折れ線より僅かに内側に形成されており、前記第３フラップ対の２つの山折れ線は、前記第２フラップ対の２つの山折れ線と平行で且つ第２フラップ対の２つの山折れ線より僅かに外側に形成されていることを特徴とする感光記録材料用包装箱。
【請求項６】
請求項４において、前記第１フラップ対の２つの山折れ線は、前記第２フラップ対の２つの山折れ線と平行で且つ第２フラップ対の２つの山折れ線より僅かに外側に形成されており、前記第３フラップ対の２つの山折れ線は、前記第２フラップ対の２つの山折れ線と平行で且つ第２フラップ対の２つの山折れ線より僅かに内側に形成されていることを特徴とする感光記録材料用包装箱。
【請求項７】
請求項１〜６のいずれか一項において、前記第１フラップ対と第２フラップ対との間には、これら両フラップ対と前記第２板に接続する折り畳みフラップが形成されており、前記折り畳みフラップを内側に折り畳んだ状態で前記第１フラップ対と第２フラップ対とが重なることを特徴とする感光記録材料用包装箱。
【請求項８】
請求項１〜６のいずれか一項において、前記第３フラップ対と第２フラップ対との間には、これら両フラップ対と前記第４板に接続する折り畳みフラップが形成されており、前記折り畳みフラップを内側に折り畳んだ状態で前記第３フラップ対と第２フラップ対とが重なることを特徴とする感光記録材料用包装箱。
【請求項９】
展開図において、中間に位置する中間板と、該中間板の両側にそれぞれ互いに平行で且つほぼ同一の長さを有する山折れ線を介して接続されている第１接続板及び第２接続板とが一連に形成された部分を含み、前記第１接続板及び第２接続板のそれぞれ幅方向両側にフラップ対が山折れ線を介して接続して形成されており、前記中間板の幅方向両側に折り畳みフラップが接続して形成されており、
前記各折り畳みフラップは、前記第１接続板及び第２接続板における各フラップ対の外縁部同士を結ぶ仮想線と前記折り畳みフラップの外縁部との間に切除部が形成され、また前記中間板と、前記第１接続板及び第２接続板におけるフラップ対とそれぞれ山折れ線を介して接続され、前記第１接続板と前記折り畳みフラップとの接続点及び前記第２接続板と前記折り畳みフラップとの接続点からそれぞれ前記折り畳みフラップの外縁部まで延びる２本の谷折れ線が形成されており、
前記展開図の組み立て時に、前記全ての山折れ線に沿って山折りし、また前記２本の谷折れ線を谷折りして構成されることを特徴とする感光記録材料用包装箱における隅部遮光構造。
【請求項１０】
請求項９において、前記切除部の面積は、前記折り畳みフラップと切除部との和の面積の１５〜６５％であることを特徴とする感光記録材料用包装箱における隅部遮光構造。
【請求項１１】
請求項９または１０において、前記２本の谷折れ線は前記折り畳みフラップの外縁部において交わることを特徴とする感光記録材料用包装箱における隅部遮光構造。
【請求項１２】
請求項１１において、前記２本の谷折れ線は直交することを特徴とする感光記録材料用包装箱における隅部遮光構造。
【請求項１３】
請求項９〜１２のいずれか一項において、前記折り畳みフラップと前記第１接続板における各フラップ対との間の山折れ線と、前記折り畳みフラップと前記第２接続板における各フラップ対との間の山折れ線とが互いに外側に向かって１〜１０度の角度で開くように傾斜していることを特徴とする感光記録材料用包装箱における隅部遮光構造。
【請求項１４】
請求項９〜１３のいずれか一項において、前記折り畳みフラップの外縁部は頂点を有しない連続した曲線で形成されていることを特徴とする感光記録材料用包装箱における隅部遮光構造。
【請求項１５】
請求項１１〜１４のいずれか一項において、前記２本の谷折れ線と、前記中間板と折り畳みフラップとの間の山折れ線とによって囲まれた領域が、前記組み立て時に前記中間板に接触していることを特徴とする感光記録材料用包装箱における隅部遮光構造。
【請求項１６】
請求項９〜１５のいずれか一項において、前記感光記録材料用包装箱が段ボールで構成されていることを特徴とする感光記録材料用包装箱における隅部遮光構造。
【請求項１７】
請求項１６において、前記段ボールの中芯が１８０ｇ／ｍ2以下の坪量であることを特徴とする感光記録材料用包装箱における隅部遮光構造。
【請求項１８】
請求項１６または１７において、前記段ボールを相対湿度４０％以上で加工することを特徴とする感光記録材料用包装箱における隅部遮光構造。
【発明の詳細な説明】
【技術分野】
【０００１】
本発明は、Ｘレイフィルム等の感光記録材料の個別包装に適した包装箱に関する。また、本発明は、遮光性に優れた隅部遮光構造にも関する。
【背景技術】
【０００２】
Ｘレイフィルム等の感光記録材料は、流通時や保管時に遮光性の高い包装箱に内包しておくことが必要とされる。また、使用者の使い勝手を良くするために、包装箱は容易に開封することができて、内包されている感光記録材料を簡単に取り出すことができる構造をしていることが求められている。このような要求に応えるために、種々の包装箱がこれまでに提案されている。
【０００３】
実開昭５５−９０５２０号公報（特許文献１）には、内容物を収容する内箱と、この内箱を内装されることにより内容物を外部衝撃や外光から保護するふた付き外装箱とを備え、外装箱は、本体部とふた部とを容易に破封可能でしかも未開封性を明示しうる一枚のブランクから作られ、本体部と連結されるふた部の破封開口部側側辺並びにこの側辺に対向するふた部の開口側辺には内側に折り返してのり付けされるフラップが設けられる包装箱が開示されている。このような包装箱は遮光性に優れているが、被包装物を内箱と外箱とで別の工程で包装するので、包装工程が煩雑で包材コストが高くなる。また包装箱は平らに畳めないので、使用後の廃棄に嵩ばるという問題もある。
【０００４】
特開２００２−１６０７２９号公報（特許文献２）には、組み立てた状態で、前パネル、該前パネルと対向する後パネル、該後パネルと前記前パネルとの左右の側部間を閉塞し互いに対向する側パネル、天部開放部を閉塞する天パネル、底部開放部を閉塞する底パネルを有し、前パネルには、両側端縁間に亘って切り取り線を設け、側パネルには、切り取り線に連なる切れ線を設け、後パネルには、切れ線と連続する折れ線を設けたカートンであって、天パネルには、係止パネルを連設し、該係止パネルが前パネルの上部の裏面側に位置し、係止パネルの先端辺が前記切り取り線よりも下方に位置している易開封性カートンが開示されている。このような易開封性カートンは、ワンピースであるので包装工程や包材のコストは抑制できるが、遮光性を維持できないという問題がある。
【０００５】
【特許文献１】実開昭５５−９０５２０号公報
【特許文献２】特開２００２−１６０７２９号公報
【発明の開示】
【発明が解決しようとする課題】
【０００６】
従来の包装箱が有している上記の問題点を考慮して、本発明は、遮光性、易開封性、易取り出し性を備え、コストが安くて、自動組立が容易な感光記録材料用包装箱を提供することを課題とした。
【課題を解決するための手段】
【０００７】
本発明者は鋭意検討を重ねた結果、以下の構成を有する本発明の感光記録材料用包装箱によれば上記の課題を解決しうることを見い出した。
本発明の感光記録材料用包装箱は、展開図において、両側に山折れ線を介して接続される第１フラップ対を有する第１板と、第２板と、両側に山折れ線を介して接続される第２フラップ対を有する第３板と、第４板と、両側に山折れ線を介して接続される第３フラップ対を有する第５板とが、互いに平行で且つほぼ同一の長さを有する山折れ線を介してこの順で一連に接続されており、前記第２板、第３板、第４板及び第５板を前記第１〜５板を区切る山折れ線に沿って９０度ずつ山折りし、前記第１フラップ対、第２フラップ対及び第３フラップ対を山折れ線に沿って９０度ずつ山折りし、前記第１板と第５板の端部同士を重ねた状態で固定し、第１フラップ対及び第３フラップ対を第２フラップ対とそれぞれ重ねた状態で固定してなり、前記第１板、第２板及び第１フラップ対が、前記第１板及び第２板間の山折れ線及び前記第２板及び第３板間の山折れ線を回動辺として回動することで開閉可能な蓋部が構成され、前記第３板、第４板、第５板、第２フラップ対及び第３フラップ対により本体部が構成されることを特徴とするものである（第１の態様）。
【０００８】
上記発明において、上記第１板と第５板の端部同士が重なった部分は接着により固定され、上記第１板と第５板のいずれか上側に重なっている方の上記接着により固定された部分より上記端部から離れた位置には、上記上側に重なっている板の全幅に亘って切り取り可能な破断切取部が形成されていてもよい（第２の態様）。
また上記発明において、上記第１フラップ対と第３フラップ対は、それぞれ第２フラップ対の内側と外側に重なる状態で固定されるようにしてもよい（第３の態様）。
【０００９】
また上記発明において、上記第１フラップ対と第３フラップ対は、それぞれ第２フラップ対の外側と内側に重なる状態で固定されるようにしてもよい（第４の態様）。
また上記発明において、前記第１フラップ対の２つの山折れ線は、前記第２フラップ対の２つの山折れ線と平行で且つ第２フラップ対の２つの山折れ線より僅かに内側に形成されており、前記第３フラップ対の２つの山折れ線は、前記第２フラップ対の２つの山折れ線と平行で且つ第２フラップ対の２つの山折れ線より僅かに外側に形成されていてもよい（第５の態様）。
また上記発明において、前記第１フラップ対の２つの山折れ線は、前記第２フラップ対の２つの山折れ線と平行で且つ第２フラップ対の２つの山折れ線より僅かに外側に形成されており、前記第３フラップ対の２つの山折れ線は、前記第２フラップ対の２つの山折れ線と平行で且つ第２フラップ対の２つの山折れ線より僅かに内側に形成されていてもよい（第６の態様）。
【００１０】
また上記発明において、上記第１フラップ対と第２フラップ対との間には、これら両フラップ対と上記第２板に接続する折り畳みフラップが形成されており、上記折り畳みフラップを内側に折り畳んだ状態で上記第１フラップ対と第２フラップ対とが重なるようにしてもよい（第７の態様）。
また上記発明において、上記第３フラップ対と第２フラップ対との間には、これら両フラップ対と上記第４板に接続する折り畳みフラップが形成されており、上記折り畳みフラップを内側に折り畳んだ状態で上記第３フラップ対と第２フラップ対とが重なるようにしてもよい（第８の態様）。
【００１１】
また本発明の感光記録材料用包装箱における隅部遮光構造は、展開図において、中間に位置する中間板と、該中間板の両側にそれぞれ互いに平行で且つほぼ同一の長さを有する山折れ線を介して接続されている第１接続板及び第２接続板とが一連に形成された部分を含み、前記第１接続板及び第２接続板のそれぞれ幅方向両側にフラップ対が山折れ線を介して接続して形成されており、前記中間板の幅方向両側に折り畳みフラップが接続して形成されており、前記各折り畳みフラップは、前記第１接続板及び第２接続板における各フラップ対の外縁部同士を結ぶ仮想線と前記折り畳みフラップの外縁部との間に切除部が形成され、また前記中間板と、前記第１接続板及び第２接続板におけるフラップ対とそれぞれ山折れ線を介して接続され、前記第１接続板と前記折り畳みフラップとの接続点及び前記第２接続板と前記折り畳みフラップとの接続点からそれぞれ前記折り畳みフラップの外縁部まで延びる２本の谷折れ線が形成されており、前記展開図の組み立て時に、前記全ての山折れ線に沿って山折りし、また前記２本の谷折れ線を谷折りして構成されることを特徴とするものである（第９の態様）。
【００１２】
第９の態様において、前記切除部の面積は、前記折り畳みフラップと切除部との和の面積の１５〜６５％であってもよい（第１０の態様）。
また第９の態様において、前記２本の谷折れ線は前記折り畳みフラップの外縁部において交わっていてもよい（第１１の態様）。
また第９の態様において、前記２本の谷折れ線は直交していてもよい（第１２の態様）。
【００１３】
また第９の態様において、前記折り畳みフラップと前記第１接続板における各フラップ対との間の山折れ線と、前記折り畳みフラップと前記第２接続板における各フラップ対との間の山折れ線とが互いに外側に向かって１〜１０度の角度で開くように傾斜していてもよい（第１３の態様）。
また第９の態様において、前記折り畳みフラップの外縁部は頂点を有しない連続した曲線で形成されていてもよい（第１４の態様）。
また第９の態様において、前記２本の谷折れ線と、前記中間板と折り畳みフラップとの間の山折れ線とによって囲まれた領域が、前記組み立て時に前記中間板に接触していてもよい（第１５の態様）。
【００１４】
また第９の態様において、前記感光記録材料用包装箱が段ボールで構成されていてもよい（第１６の態様）。
また第９の態様において、前記段ボールの中芯が１８０ｇ／ｍ2以下の坪量であってもよい（第１７の態様）。
また第９の態様において、前記段ボールを相対湿度４０％以上で加工することができる（第１８の態様）。
【発明の効果】
【００１５】
第１の態様によれば、機械等を使用して自動組立可能で、且つ遮光性、易開封性、易取り出し性に優れた感光記録材料用包装箱を提供できる。
第２の態様によれば、破断切取部を指で摘んで引きちぎるだけで、容易に蓋部を開放可能な状態とすることができる。
第３の態様によれば、蓋部を構成する第１フラップ対が第２フラップ対の内側に位置することで遮光性が高くなり、また第３フラップ対が第２フラップ対の外側に位置することで組立が容易となる。
【００１６】
第４の態様によれば、第１フラップ対が第２フラップ対の外側に位置することで蓋部の組立が容易となり、また第３フラップ対が第２フラップ対の内側に位置することで本体部の遮光性が高くなる。
第５の態様によれば、組立時に第１フラップ対を第２フラップ対の内側に折り込み易く、また第３フラップ対を第２フラップ対の外側に折り込みやすい。
第６の態様によれば、組立時に第１フラップ対を第２フラップ対の外側に折り込み易く、また第３フラップ対を第２フラップ対の内側に折り込みやすい。
【００１７】
第７の態様によれば、折り畳みフラップを内側に折り畳むだけで遮光性の高い角部が形成され、角部の形成に接着剤の塗布が不要となる。
第８の態様によれば、折り畳みフラップを内側に折り畳むだけで遮光性の高い角部が形成され、角部の形成に接着剤の塗布が不要となる。
【００１８】
第９の態様によれば、２本の谷折れ線を包装箱の内側へ折り込み、折り畳みフラップにおける山折れ線を山折りすることにより、中間板と第１接続板と第２接続板とにより構成される隅部に遮光性の高い角部が形成され、角部の形成に接着剤の塗布が不要となる。また突き合わせが不十分だったり、頂点が摩耗したりして光漏れを生じる心配がない。
第１０の態様によれば、内側に折り畳み易く、しかも遮光性に優れた感光記録材料用包装箱における隅部遮光構造を提供できる。
第１１の態様によれば、折り畳みフラップの外縁部が折られた箇所に隙間が形成されにくいため、より遮光性が高くなる。
第１２の態様によれば、折り畳みフラップを綺麗に折り畳むことができ、中央部からの光漏れが起きにくい。
【００１９】
第１３の態様によれば、外側端面が直角に仕上がるので自動化適性が良く、見栄えも良くなる。
第１４の態様によれば、折り曲げ加工の際に、頂点に力が集中して紙が裂けることを防止できる。
第１５の態様によれば、折り畳みフラップの２本の谷折れ線によって囲まれた領域以外の部分が先に折り畳まれて、折り畳みフラップが正しく折り畳まれない状態を回避することができる。
第１６の態様によれば、段ボールは３層構造であるので、鋭角に折り曲げてもピンホールが開きにくい。
第１７の態様によれば、折り曲げた際に外側のライナにヒビ割れが生じにくい。
第１８の態様によれば、段ボールの加工性が良く、鋭角に折り曲げてもヒビ割れしにくい。
【発明を実施するための最良の形態】
【００２０】
以下において、本発明の包装箱について、図面を参照しながら詳細に説明する。なお、本明細書において「〜」を用いて表される数値範囲は、「〜」の前後に記載される数値を下限値及び上限値として含む範囲を意味する。
図１は、本発明に係る感光記録材料用包装箱１の完成状態における全体を示す斜視図である。感光記録材料用包装箱１はほぼ直方体の形態を有し、その外観形状は、前面３、背面５、左側面７、右側面９、天面１１及び底面１３から構成されている。尚、本明細書において、上下左右の語を使用するときには、図１に示す包装箱の向きを基準とする。また左側面７から右側面９へ水平に延びる方向を感光記録材料用包装箱１の幅方向と定義する。
【００２１】
感光記録材料用包装箱１は図２に示すような一枚の段ボール紙からなる展開図を組み立てることにより構成されており、図１において下側に位置する本体部１５と上側に位置する蓋部１７とに大きく分けることができる。本体部１５は感光記録材料（図６において符号Ｍで示す）を収納する部分であり、蓋部１７は本体部１５の上方を開放して感光記録材料Ｍを取り出し可能とし、及び開放後は再度閉鎖して本体部１５の上方の遮光を維持するための部分である。
【００２２】
図１に示すように蓋部１７の前面３側には前面外フラップ２１が形成されており、この前面外フラップ２１には２本の平行なミシン線２４によって規定される破断切取部２５が形成されている。破断切取部２５の下側には開閉フラップ２７が形成されており、開閉フラップ２７は、蓋部１７の開放可能時に、本体部１５に対して谷折れ線１９で前面側へ折り曲げ可能となっている。また破断切取部２５の上側には糊付け部２９が形成されている。
【００２３】
前面外フラップ２１の内側には蓋前板４５が重なっており、図１に示すように蓋部１７の未開封状態では、前面外フラップ２１のうち、糊付け部２９の裏面だけに接着剤が施され、蓋前板４５に接着されている。従って、破断切取部２５を切り落とさない状態では、糊付け部２９と蓋前板４５との接着により、蓋部１７を開放することができない。
【００２４】
図６に示されているように蓋前板４５の両側には、第１フラップ対に相当する蓋部左内側フラップ３１及び蓋部右内側フラップ３３が形成されており、天面１１を形成し第２板に相当する天板３５の両側には、それぞれ蓋部左折り畳みフラップ３７と蓋部右折り畳みフラップ３９とが形成されている。左右の蓋部折り畳みフラップ３７、３９は、それぞれ左右の蓋部内側フラップ３１、３３と山折れ線を介して接続されている。蓋部折り畳みフラップ３７、３９は各々、図６に示すように３つのほぼ三角形の部分３９ａ、３９ｂ、３９ｃ（蓋部折り畳みフラップ３７側は符号を付していない）を折り曲げることにより、内側へ収納されるようになっており、これによりこの部分からの光の進入を防止している。ほぼ三角形の部分３９ａ、３９ｂ、３９ｃの罫線は、遮光性を保つために筋押しが望ましい。
【００２５】
蓋部１７の閉鎖時には、左右の蓋部内側フラップ３１、３３及び左右の蓋部折り畳みフラップ３７、３９は、第２フラップ対に相当する本体左内側フラップ４１と本体右内側フラップ４３との内側に重なって収納され、また蓋部１７の前面を構成し第１板に相当する蓋前板４５の先端側４７が開閉フラップ２７の内側に収まるようになっている。これにより蓋部１７と本体部１５との境界部分からの光の進入を防止している。
【００２６】
次に本体部１５は、前面３を形成する本体前板４９と、背面５を形成し第３板に相当する本体背板５１と、底面１３を形成し第４板に相当する底板５３と、左側面７を形成する本体左外側フラップ５５と、右側面９を形成する本体右外側フラップ５７とを備えている。尚、本体左外側フラップ５５と本体右外側フラップ５７は、第３フラップ対に相当し、また前面外フラップ２１及び本体前板４９は、第５板に相当する。
【００２７】
また本体左外側フラップ５５と本体右外側フラップ５７とのそれぞれの内側には、上述の本体左内側フラップ４１と本体右内側フラップ４３とが、本体左外側フラップ５５と本体右外側フラップ５７から上方へ露出するように設けられている。本体左外側フラップ５５及び本体右外側フラップ５７は、それぞれ本体左内側フラップ４１及び本体右内側フラップ４３に対して粘着テープ５９で固定されることで本体部１５の形状を維持している。尚、粘着テープ５９に代えて接着剤を使用して、内側フラップと外側フラップの重なった部分を接着固定するようにしてもよい。
【００２８】
底板５３の左右には、それぞれ本体左折り畳みフラップ６１及び本体右折り畳みフラップ６３が接続されており、これら左側の折り畳みフラップは、本体左内側フラップ４１及び本体左外側フラップ５５に接続され、右側の折り畳みフラップは、本体右内側フラップ４３及び本体右外側フラップ５７に接続されている。本体部の折り畳みフラップ６１、６３は各々、図３に示すようにそれぞれ３つのほぼ三角形の部分６１ａ、６１ｂ、６１ｃ及び６３ａ、６３ｂ、６３ｃを折り曲げることにより、内側へ収納されるようになっており、これによりこの部分からの光の進入を防止している。
【００２９】
次に図２〜図６を参照しながら、本発明の感光記録材料用包装箱１の展開図６５から感光記録材料用包装箱１を組み立てる工程及び感光記録材料用包装箱１の使用方法について説明する。
【００３０】
図２は展開図６５を表面側から描いたものであり、図２中、破線は山折れ線を示し、一点鎖線は谷折れ線を示す。本展開図６５において特徴的な点は、本体前板４９の両側部の山折れ線６７が、本体背板５１の両側部の山折れ線６９の位置よりも僅かに外側に位置し、蓋前板４５の両側部の山折れ線７０が、本体背板５１の両側部の山折れ線６９の位置よりも僅かに内側に位置することである。このような構成により、組立時に、本体左外側フラップ５５及び本体右外側フラップ５７が、本体左内側フラップ４１及び本体左外側フラップ５５の外側に位置するように折り込み易くなり、また蓋部左内側フラップ３１及び蓋部右内側フラップ３３が、本体左内側フラップ４１及び本体左外側フラップ５５の内側に位置するように折り込み易くなる。またこのような構成により感光記録材料用包装箱１の外観は、歪みの小さなものとなる。
【００３１】
展開図６５から感光記録材料用包装箱１を組み立てる場合には、各山折れ線を順に９０度ずつ山折りし、谷折れ線１９以外の谷折れ線を谷折りしていく。この過程で、蓋部左折り畳みフラップ３７、蓋部右折り畳みフラップ３９、本体左折り畳みフラップ６１、本体右折り畳みフラップ６３は、図３（折り畳みフラップ６１、６３を代表して示す）に示すように、内側へ折り畳むように折り曲げる。全ての山折れ線を折り曲げることにより図４に示すような箱型になるので、糊付け部２９の裏面側だけに接着剤を塗布し、蓋前板４５に接着させる。また粘着テープ５９を、本体左外側フラップ５５及び本体右外側フラップ５７と本体背板５１との間に掛け渡すように貼り付けることで、図１に示すような感光記録材料用包装箱１が完成する。このように単純な折り曲げを繰り返すことによって目的とする包装箱を容易に完成させることができるため、本発明の感光記録材料用包装箱は自動化して大量生産するのに適している。また、製造コストも安くすることができる。
【００３２】
感光記録材料用包装箱１の内部に収容された感光記録材料Ｍを取り出す場合には、図５に示すように破断切取部２５の左端部を指で摘み、右側へ引くことにより破断切取部２５はミシン線２４に沿って破断する。蓋前板４５の先端側４７を開閉フラップ２７から引き抜くように蓋前板４５を上方へ上げることにより、天板３５と蓋前板４５との間の山折れ線及び天板３５と本体背板５１との間の山折れ線を回動辺として回動して、図６に示すように蓋部１７が上方へ開放可能となる。従ってこの状態で、開放部から感光記録材料Ｍを取り出すことができる。また開放時の逆の動作を行うことにより、蓋部１７を閉鎖して本体部１５内を遮光状態に維持することができる。
【００３３】
以上、本発明の感光記録材料用包装箱の一実施形態について説明したが、本発明はこの他にも種々の実施形態を採ることができる。例えば上記実施形態における破断切取部２５を設けることなく、図７（ａ）に示すように前面外フラップ２１を短めに形成し、その上に蓋前板４５が重なるように構成する。前面外フラップ２１の表面には、接着・剥離を頻回行っても粘着作用が維持される粘着材７１を塗布し、蓋部１７の閉鎖時に蓋前板４５の裏面が粘着材７１に対して剥離可能に接着するようにしてもよい。
【００３４】
また図７（ａ）と同様な前面外フラップ２１と蓋前板４５の構成において、図７（ｂ）に示すように単に粘着テープ７３を貼付して、蓋部１７が不意に開放してしまうことを防止しても良い。
【００３５】
本発明においては、上記実施形態における破断切取部２５の代わりに、例えば特開２００２−１０４３９８号公報に記載されているように左右両側から破断することができるような切取部を設けてもよい。また、上記実施形態における破断切取部２５に、特開２００３−１２８０５４号公報や特開２００３−５４５４２号公報に記載されるように指を入れやすくする構造を採用してもよい。
【００３６】
更に、上記実施形態では本体左外側フラップ５５及び本体右外側フラップ５７が、それぞれ本体左内側フラップ４１及び本体右内側フラップ４３の外側に重なっているが、本体左外側フラップ５５及び本体右外側フラップ５７が、それぞれ本体左内側フラップ４１及び本体右内側フラップ４３の内側に重なるようにしてもよい。また同様に、蓋部左内側フラップ３１及び蓋部右内側フラップ３３が、それぞれ本体左内側フラップ４１及び本体右内側フラップ４３の外側に重なるようにしてもよい。
【００３７】
また、上記実施形態におけるフラップ構造として、実用新案登録第３０４０４３９号公報に記載される構造を好ましく採用することができる。
【００３８】
次に本発明の感光記録材料用包装箱における隅部遮光構造を主として構成する折り畳みフラップ３７、３９、６１、６３について図８を参照しながら具体的に説明する。尚、折り畳みフラップ３７、３９は折り畳みフラップ６１、６３と実質的に同じ構造であるので、ここでは折り畳みフラップ６１、６３についてのみ説明する。また折り畳みフラップ６１、６３の説明においては、第３板に相当する本体背板５１が第１接続板に相当し、第４板に相当する底板５３が中間板に相当し、第５板に相当する本体前板４９が第２接続板に相当するものとする。
【００３９】
折り畳みフラップ６１、６３には、本体左内側フラップ４１の外縁部４１ａと本体左外側フラップ５５の外縁部５５ａを結ぶ仮想線７５及び折り畳みフラップ６１の外縁部７９との間、並びに本体右内側フラップ４３の外縁部４３ａと本体右外側フラップ５７の外縁部５７ａを結ぶ仮想線７７及び折り畳みフラップ６３の外縁部８１との間に、それぞれ切除部８３、８５が形成されている。
また折り畳みフラップ６１は、底板５３、本体左内側フラップ４１及び本体左外側フラップ５５にそれぞれ山折れ線８７、８９、９１を介して接続され、折り畳みフラップ６３は、底板５３、本体右内側フラップ４３、本体右外側フラップ５７にそれぞれ山折れ線９３、９５、９７を介して接続されている。
【００４０】
本体背板５１（第１接続板）と折り畳みフラップ６１、６３との各接続点９９、１０１からは、それぞれ折り畳みフラップ６１の外縁部７９及び折り畳みフラップ６３の外縁部８１まで谷折れ線１０７、１０９が形成されている。また本体前板４９（第２接続板）と折り畳みフラップ６１、６３との接続点１０３、１０５からも、それぞれ折り畳みフラップ６１の外縁部７９及び折り畳みフラップ６３の外縁部８１まで谷折れ線１１１、１１３が形成されている。折り畳みフラップ６１における２本の谷折れ線１０７、１１１は折り畳みフラップ６１の外縁部７９において交わっており、折り畳みフラップ６３における２本の谷折れ線１０９、１１３は折り畳みフラップ６３の外縁部８１において交わっている。各折り畳みフラップ６１、６３における２本の谷折れ線の交差角度は９０度、即ち２本の谷折れ線が直交していることが好ましいが、それ以外の角度で交差していても構わない。また本実施形態では各折り畳みフラップ６１、６３において２本の谷折れ線が外縁部で交差しているが、図９に示すように外縁部８１で交差していなくても構わない。
【００４１】
また図１０に拡大して示すように、折り畳みフラップ６３と、本体右内側フラップ４３及び本体右外側フラップ５７との間の各山折れ線９５、９７は、幅方向外側へ向かって互いに平行な線（図１０中、符号Ｘ，Ｙで示す）から外側に１〜１０度の角度で開くように傾斜していることが好ましい。これにより包装箱を組み立てたときに面同士のなす角度が直角に仕上がるので、自動化適性が良く、見栄えも良くなる。このような構成は、折り畳みフラップ６１と、本体左内側フラップ４１及び本体左外側フラップ５５との間の各山折れ線８９、９１に関しても同様である。
また図１１に拡大して示すように、折り畳みフラップの外縁部は例えば凹部１１５のような箇所であっても、２本の直線が交わるように構成するのではなく、頂点を有しない連続した曲線で形成されていることが好ましい。更に、折り畳みフラップの外縁部が有する凹部の曲率が比較的小さくて、外縁部が滑らかな連続曲線で形成されているものも好ましい（図１２）。なお、各折り畳みフラップ６１、６３における切除部８３、８５の面積は、各々、折り畳みフラップ６３と各切除部との和の面積の１５〜６５％であることが好ましい。
【００４２】
図１１に示すように２本の谷折れ線１０９、１１３が折り畳みフラップ６３の外縁部８１で交わることにより、２本の谷折れ線１０９、１１３と、底板５３（中間板）と折り畳みフラップ６３との間の山折れ線９３とによって囲まれた領域６３ｂは三角形となる。図１３に示すように、このような三角形の領域６３ｂは、包装箱の組み立て時に、展開図の状態から１８０度折り返されて底板５３（中間板）に接触するようになることが好ましい。また三角形の領域６３ｂに予め糊付けを行い、包装箱の組み立て時に、該領域が底板５３に接着されるようにしてもよい。これにより、折り畳みフラップの三角形の領域６３ｂ以外の部分が先に折り畳まれて、折り畳みフラップが正しく折り畳まれない状態を回避することができる。
【００４３】
本発明の感光記録材料用包装箱を構成する材料の種類は特に限定されないが、段ボールを用いることが好ましい。好ましい材料として、Ｅフルート（例えば段数が約９４／３００ｍｍ）やＦフルート（例えば段数が約１２０／３００ｍｍ）のようなマイクロフルート段ボールや、板紙を挙げることができる。また上記のような隅部遮光構造を適用する場合には、段ボールの中芯が１８０ｇ／ｍ2以下の坪量であることが好ましく、このような段ボールを相対湿度４０％以上で加工することが好ましい。
以上、本発明の感光記録材料用包装箱における隅部遮光構造が図１に示すような形態の包装箱に適用された実施形態を説明したが、本発明の隅部遮光構造は図１に示す包装箱の他にも例えば図１４に示すような包装箱１ａの符号１１７で示す部分など種々の包装箱の隅部に適用することができる。
【産業上の利用可能性】
【００４４】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００４５】
【図１】本発明の感光記録材料用包装箱の完成状態を示す斜視図である。
【図２】本発明の感光記録材料用包装箱の展開図である。
【図３】本発明の感光記録材料用包装箱を組み立てる途中の様子を示す斜視図である。
【図４】本発明の感光記録材料用包装箱の完成直前の様子を示す斜視図である。
【図５】感光記録材料用包装箱の破断切取部を破く様子を示す斜視図である。
【図６】感光記録材料用包装箱の蓋部を開放している様子を示す斜視図である。
【図７】感光記録材料用包装箱の蓋部の他の実施形態を示す部分斜視図である。
【図８】本発明の感光記録材料用包装箱における隅部遮光構造を示す折り畳みフラップ周辺の拡大図である。
【図９】２本の谷折れ線が外縁部で交差していない実施形態を示す部分拡大図である。
【図１０】折り畳みフラップの２つの山折れ線が、幅方向外側へ向かって互いに平行な線から外側に開くように傾斜している様子を示す説明図である。
【図１１】折り畳みフラップの外縁部が、頂点を有しない連続した曲線で形成されている様子を示す折り畳みフラップ周辺の拡大図である。
【図１２】折り畳みフラップの外縁部が、頂点を有しない連続した曲線で形成されている様子を示す別の折り畳みフラップ周辺の拡大図である。
【図１３】三角形の領域が、包装箱の組み立て時に、展開図の状態から１８０度折り返されて底板（中間板）に接触する様子を示す斜視図である。
【図１４】本発明の感光記録材料用包装箱における隅部遮光構造を適用可能な他の包装箱の一例を示す斜視図である。
【符号の説明】
【００４６】
１  感光記録材料用包装箱、３  前面、５  背面、７  左側面、９  右側面
１１  天面、１３  底面、１５  本体部、１７  蓋部、１９  谷折れ線
２１  前面外フラップ、２４  ミシン線、２５  破断切取部、２７  開閉フラップ
２９  糊付け部、３１  蓋部左内側フラップ、３３  蓋部右内側フラップ
３５  天板、３７  蓋部左折り畳みフラップ、３９  蓋部右折り畳みフラップ
３９ａ、３９ｂ、３９ｃ  三角形部分、４１  本体左内側フラップ
４３  本体右内側フラップ、４５  蓋前板、４７  蓋前板の先端側
４９  本体前板（第２接続板）、５１  本体背板（第１接続板）
５３  底板（中間板）、５５  本体左外側フラップ、５７  本体右外側フラップ
５９  粘着テープ、６１  本体左折り畳みフラップ
６１ａ、６１ｂ、６１ｃ  三角形の部分、６３  本体右折り畳みフラップ
６３ａ、６３ｂ、６３ｃ  三角形の部分、６５  展開図、６７  山折れ線
６９  山折れ線、７０  山折れ線、７１  粘着材、７３  粘着テープ
７５  仮想線、７７  仮想線、７９  折り畳みフラップ６１の外縁部
８１  折り畳みフラップ６３の外縁部、８３  切除部、８５  切除部
８７、８９、９１、９３、９５、９７  山折れ線
９９、１０１、１０３、１０５  接続点
１０７、１０９、１１１、１１３  谷折れ線、１１５  凹部、Ｍ  感光記録材料
【図１】
2005096854.tif 000003
【図２】
2005096854.tif 000004
【図３】
2005096854.tif 000005
【図４】
2005096854.tif 000006
【図５】
2005096854.tif 000007
【図６】
2005096854.tif 000008
【図７】
2005096854.tif 000009
【図８】
2005096854.tif 000010
【図９】
2005096854.tif 000011
【図１０】
2005096854.tif 000012
【図１１】
2005096854.tif 000013
【図１２】
2005096854.tif 000014
【図１３】
2005096854.tif 000015
【図１４】
2005096854.tif 000016